(57)【特許請求の範囲】
【請求項１】
上端に胴部開口を有し、下部に一対の脚部開口を有するパンツタイプの使い捨ておむつであって、
着用者の前側を覆う前方部および後側を覆う後方部の間の中間部で折り曲げられ、前記前方部の両側端が、前記後方部の両側端にそれぞれ接合されることにより、前記前方部および前記後方部の上端に胴部開口が形成され、前記前方部および前記後方部の下側において前記中間部の両側方に一対の脚部開口が形成される外装シートと、
前記前方部から前記後方部に亘って前記外装シート上に取り付けられて着用者からの排泄物を吸収する吸収体と、
前記前方部または前記後方部において、前記上端の縁に沿って伸びるとともに前記外装シートの内面上に接着剤により接合され、前記外装シートとの間にて前記吸収体の一方の端部を固定するシート部材と、
を備え、
前記接着剤が前記上端の縁に沿うスパイラル状に塗布される領域と、ライン状に塗布される領域とが、前記上端の縁に垂直な方向に交互に設けられることにより、前記シート部材のおよそ全面が前記外装シート上に接合され、
前記外装シートが、不織布にて形成され、
前記シート部材が、プラスチックフィルムと不織布との積層体であり、着用者に対向する面が前記不織布にて形成されることを特徴とする使い捨ておむつ。
【請求項２】
上端に胴部開口を有し、下部に一対の脚部開口を有するパンツタイプの使い捨ておむつであって、
着用者の前側を覆う前方部および後側を覆う後方部の間の中間部で折り曲げられ、前記前方部の両側端が、前記後方部の両側端にそれぞれ接合されることにより、前記前方部および前記後方部の上端に胴部開口が形成され、前記前方部および前記後方部の下側において前記中間部の両側方に一対の脚部開口が形成される外装シートと、
前記前方部から前記後方部に亘って前記外装シート上に取り付けられて着用者からの排泄物を吸収する吸収体と、
前記前方部または前記後方部において、前記上端の縁に沿って伸びるとともに前記外装シートの内面上に接合され、前記外装シートとの間にて前記吸収体の一方の端部を固定するシート部材と、
を備え、
前記外装シートおよび前記シート部材が、不織布にて形成され、
前記シート部材における不織布の繊維配向が前記上端の縁に垂直であることを特徴とする使い捨ておむつ。
【請求項３】
請求項２記載の使い捨ておむつであって、
前記シート部材の全面が前記外装シート上に接合されることを特徴とする使い捨ておむつ。
【請求項４】
請求項１ないし３のいずれかに記載の使い捨ておむつであって、
前記シート部材と同様の構造を有するもう１つのシート部材をさらに備え、
前記シート部材および前記もう１つのシート部材が、前記前方部および前記後方部にそれぞれ設けられることを特徴とする使い捨ておむつ。
【請求項５】
請求項４に記載の使い捨ておむつであって、
前記シート部材と、前記もう１つのシート部材とが識別可能であることを特徴とする使い捨ておむつ。
【発明の詳細な説明】
【技術分野】
【０００１】
本発明は、パンツタイプの使い捨ておむつに関する。
【背景技術】
【０００２】
従来より、着用者からの排泄物を受ける吸収性物品の１つとして、上端に胴部開口を有するとともに下部に一対の脚部開口を有するパンツタイプの使い捨ておむつが利用されている。このような使い捨ておむつでは、着用者の前側を覆う前方部と後側を覆う後方部とが中間部を介して連続する外装シートにおいて、前方部の両側端を後方部の両側端にそれぞれ接合することにより、胴部開口および一対の脚部開口が形成される。また、着用者からの排泄物を吸収する吸収体が、前方部から後方部に亘って外装シート上に取り付けられる。
【０００３】
なお、特許文献１では、前方部および後方部にそれぞれ接合されて吸収体の長手方向の両端部を被覆する一対のエンド押さえシートが開示されており、エンド押さえシートにより吸収体が外装シート上に強固に固定される。
【先行技術文献】
【特許文献】
【０００４】
【特許文献１】特開２００７−９７９７９号公報
【発明の概要】
【発明が解決しようとする課題】
【０００５】
ところで、近年、不織布にて形成される外装シートを薄くして柔らかくすることにより、使い捨ておむつの着用感を向上させることが進められているが、このような使い捨ておむつでは、外装シートが伸張しやすくなる。したがって、使い捨ておむつを着用者に装着する際に、吸収体を着用者の股間部に密着させるために、前方部や後方部を引き上げたとしても、外装シートの伸張により吸収体自体を引き上げることが容易ではない。吸収体が着用者の股間部に密着していない状態では、排泄物が吸収体に適切に吸収されず、外部に漏出する虞がある。
【０００６】
本発明は上記課題に鑑みなされたものであり、装着時に吸収体を着用者の股間部に容易に密着させることを目的としている。
【課題を解決するための手段】
【０００７】
請求項１に記載の発明は、上端に胴部開口を有し、下部に一対の脚部開口を有するパンツタイプの使い捨ておむつであって、着用者の前側を覆う前方部および後側を覆う後方部の間の中間部で折り曲げられ、前記前方部の両側端が、前記後方部の両側端にそれぞれ接合されることにより、前記前方部および前記後方部の上端に胴部開口が形成され、前記前方部および前記後方部の下側において前記中間部の両側方に一対の脚部開口が形成される外装シートと、前記前方部から前記後方部に亘って前記外装シート上に取り付けられて着用者からの排泄物を吸収する吸収体と、前記前方部または前記後方部において、前記上端の縁に沿って伸びるとともに前記外装シートの内面上に接着剤により接合され、前記外装シートとの間にて前記吸収体の一方の端部を固定するシート部材とを備え、前記接着剤が前記上端の縁に沿うスパイラル状に塗布される領域と、ライン状に塗布される領域とが、前記上端の縁に垂直な方向に交互に設けられることにより、前記シート部材のおよそ全面が前記外装シート上に接合され、前記外装シートが、不織布にて形成され、前記シート部材が、プラスチックフィルムと不織布との積層体であり、着用者に対向する面が前記不織布にて形成される。
【０００８】
請求項２に記載の発明は、上端に胴部開口を有し、下部に一対の脚部開口を有するパンツタイプの使い捨ておむつであって、着用者の前側を覆う前方部および後側を覆う後方部の間の中間部で折り曲げられ、前記前方部の両側端が、前記後方部の両側端にそれぞれ接合されることにより、前記前方部および前記後方部の上端に胴部開口が形成され、前記前方部および前記後方部の下側において前記中間部の両側方に一対の脚部開口が形成される外装シートと、前記前方部から前記後方部に亘って前記外装シート上に取り付けられて着用者からの排泄物を吸収する吸収体と、前記前方部または前記後方部において、前記上端の縁に沿って伸びるとともに前記外装シートの内面上に接合され、前記外装シートとの間にて前記吸収体の一方の端部を固定するシート部材とを備え、前記外装シートおよび前記シート部材が、不織布にて形成され、前記シート部材における不織布の繊維配向が前記上端の縁に垂直である。
【０００９】
請求項３に記載の発明は、請求項２に記載の使い捨ておむつであって、前記シート部材の全面が前記外装シート上に接合される。
【００１０】
請求項４に記載の発明は、請求項１ないし３のいずれかに記載の使い捨ておむつであって、前記シート部材と同様の構造を有するもう１つのシート部材をさらに備え、前記シート部材および前記もう１つのシート部材が、前記前方部および前記後方部にそれぞれ設けられる。
【００１１】
請求項５に記載の発明は、請求項４に記載の使い捨ておむつであって、前記シート部材と、前記もう１つのシート部材とが識別可能である。
【発明の効果】
【００１２】
本発明によれば、装着時に吸収体を着用者の股間部に容易に密着させることができる。
【００１３】
また、請求項１の発明では、排泄物の水分がシート部材を透過して外側に染み出すことを防止することができ、請求項３および４の発明では、吸収体を着用者の股間部にさらに容易に密着させることができ、請求項５の発明では、使い捨ておむつの前後を容易に認識することができる。
【図面の簡単な説明】
【００１４】
【図１】関連技術に係る使い捨ておむつの外観を示す斜視図である。
【図２】展開した状態の使い捨ておむつの平面図である。
【図３】使い捨ておむつの断面図である。
【図４】シート部材の断面図である。
【図５】比較例の使い捨ておむつを示す図である。
【図６】一の実施の形態に係る使い捨ておむつの平面図である。
【図７】使い捨ておむつの他の例を示す図である。
【発明を実施するための形態】
【００１５】
図１は、本発明の関連技術に係る使い捨ておむつ１の外観を示す斜視図である。図１に示すように、使い捨ておむつ１は、図１中の上側の端部である上端に胴部開口１１を有し、下部に一対の脚部開口１２を有するパンツタイプであり、着用者からの排泄物を受ける。
【００１６】
図２は、使い捨ておむつ１を展開した状態で着用者側から見た平面図である。図２に示すように、使い捨ておむつ１は、外装シート４、外装シート４の内面（すなわち、着用者側の面）上に取り付けられて着用者からの排泄物を吸収する略シート状の吸収体２０、および、吸収体２０の長手方向（すなわち、図２中における上下方向）の両端部を覆うように外装シート４上に接合される２つのシート部材５（エンドシートまたはエンド押さえシートとも呼ばれる。）を備える。各シート部材５は、図２の横方向に関して外装シート４の幅のおよそ全体に亘って設けられる。以下、図２の横方向を「おむつの幅方向」と呼ぶ。
【００１７】
使い捨ておむつ１では、図２中の上側の部位が着用者の前側（腹側の肌）を覆い、図２中の下側の部位が着用者の後側（背側の肌）を覆う。以下の説明では、着用者の前側および後側を覆う部位をそれぞれ、「前方部４０１」および「後方部４０３」と呼び、前方部４０１と後方部４０３との間で双方から連続するとともに着用者の股間部に対向する部位を「中間部４０２」と呼ぶ。
【００１８】
使い捨ておむつ１が製造される際には、外装シート４が吸収体２０と共に中間部４０２にて折り曲げられ、中間部４０２を下側に配置した際の前方部４０１の左右両側の端部と、後方部４０３の左右両側の端部とが、加熱および押圧による熱融着により接合される。このように、前方部４０１の両側端と後方部４０３の両側端とをそれぞれ接合することにより、図１に示すように、前方部４０１および後方部４０３の上端に胴部開口１１が形成され、前方部４０１および後方部４０３の下側において中間部４０２の両側方に一対の脚部開口１２が形成される。以下、図１の上下方向（重力方向であるとは限らない。）を「おむつの上下方向」と呼ぶ。
【００１９】
図３は、使い捨ておむつ１を図２中に示すＡ−Ａの位置（すなわち、中間部４０２）で切断した断面図である。図３では、図示の都合上、使い捨ておむつ１の構成を互いに離して描いている。
【００２０】
図２および図３に示すように、吸収体２０は、略シート状の本体部２、および、本体部２の両側部上（すなわち、おむつの幅方向の両端部）に配置されて本体部２の長手方向のおよそ全長に亘る一対のサイドシート３を備える。本体部２は、図３に示すように、トップシート２１、バックシート２３、および、トップシート２１とバックシート２３との間に配置された吸収コア２２を備え、バックシート２３がホットメルト接着剤等により外装シート４上に接合されて吸収体２０が外装シート４に固定される。図２では、図の理解を容易にするために、吸収コア２２の輪郭を太い破線にて描いている。図２に示すように、吸収コア２２の長手方向の両端部における幅は、吸収コア２２の長手方向の中央部における幅よりも大きい。換言すれば、吸収コア２２は、いわゆる砂時計型である。
【００２１】
図３に示すように、各サイドシート３は、長手方向の全長に亘って設けられた折り曲げ線３９を境界として、本体部２側の部位である帯状の接合部３３、および、他方の部位である側壁部３４を備える。接合部３３は、本体部２の側方エッジ近傍において長手方向のおよそ全長に亘って本体部２の上側（すなわち、着用者側）にホットメルト接着剤を用いて接合される。
【００２２】
接合部３３から折り曲げ線３９を介して連続する側壁部３４は、長手方向における両端部において接合部３３上に重ねられ、熱融着接合、超音波接合または接着剤による接合により接合部３３上に固定される。図２では、図の理解を容易にするために、接合部３３上に固定される側壁部３４の部位３４１に平行斜線を付している。また、側壁部３４は、図２および図３に示すように、長手方向における中央において本体部２から上側へと起立する起立部３４２を備える。図３に示すように、側壁部３４では、起立部３４２の自由端に弾性部材３５が接合されており、弾性部材３５が収縮することにより起立部３４２にギャザーが形成される。
【００２３】
外装シート４は、内側シート４１、および、内側シート４１の下側（すなわち、着用者とは反対側）にて内側シート４１に積層される外側シート４２を備える。内側シート４１と外側シート４２との間には、図２に示すように、複数の脚周り弾性部材４３、および、複数の胴周り弾性部材４４がホットメルト接着剤等により接合される。使い捨ておむつ１では、脚周り弾性部材４３が収縮することにより内側シート４１および外側シート４２（図３参照）が収縮されてレッグギャザーが形成される。また、胴周り弾性部材４４が収縮することにより胴部ギャザーが形成される。なお、複数の胴周り弾性部材４４うち、胴部開口１１（図１参照）の縁近傍に配置される一部の胴周り弾性部材４４は密に並べられており、これらの胴周り弾性部材４４により、使い捨ておむつ１が着用者の腰周りにて強くフィットする。
【００２４】
図２の前方部４０１および後方部４０３のそれぞれにおいて、外装シート４（の内側シート４１）上には、既述のシート部材５がホットメルト接着剤等により接合される。シート部材５は、使い捨ておむつ１の上端の縁（すなわち、長手方向における外装シート４の両端部のエッジ）に沿って伸びており、本関連技術では長方形となっている。シート部材５の接合では、シート部材５と重なる予定の外装シート４上の領域の全体にカーテンスプレーやコータによりホットメルト接着剤が塗布されることにより、シート部材５のほぼ全面が外装シート４の内面上に接合される。実際には、吸収体２０が前方部４０１から後方部４０３に亘って外装シート４上に接合されており、吸収体２０の各端部は、シート部材５と外装シート４との間に挟まれ、吸収体２０が外装シート４上に強固に固定される。
【００２５】
使い捨ておむつ１では、前方部４０１に接合されるシート部材５の色と、後方部４０３に接合されるシート部材５の色とが相違する。外装シート４は薄いため、使い捨ておむつ１を外側から見た場合に、シート部材５の色は、外装シート４を透過して容易に視認可能である。
【００２６】
トップシート２１は、透液性のシート材料であり、着用者からの排泄物の水分を速やかに捕捉して吸収コア２２へと移動させる。トップシート２１は、例えば、表面を界面活性剤により親水処理した疎水性繊維（ポリプロピレン、ポリエチレン、ポリエステル、ポリアミド、ナイロン等）にて形成された透液性の不織布であり、当該不織布として、例えば、ポイントボンド不織布やエアスルー不織布、スパンボンド不織布が利用される。なお、トップシート２１として、セルロースやレーヨン、コットン等の親水性繊維により形成された不織布（例えば、スパンレース不織布）が利用されてもよい。
【００２７】
吸収コア２２は、粉砕したパルプ繊維やセルロース繊維等の親水性繊維に粒状の高吸収性ポリマー（ＳＡＰ（Super Absorbent Polymer））や高吸収性ファイバー等の高吸収性材料を混合したものをティッシュペーパーや透液性不織布等により包み込んで形成され、トップシート２１を透過した水分を吸収して迅速に固定する。親水性繊維を包むティッシュペーパーや透液性不織布等は、親水性繊維および吸水性材料とホットメルト接着剤により接合されて、親水性繊維の型崩れ、および、吸水性材料の脱落（特に、吸水後における脱落）を防止する。本関連技術では、吸収コア２２はパルプ繊維およびＳＡＰを含む。
【００２８】
バックシート２３としては、疎水性繊維にて形成された撥水性または不透液性の不織布（例えば、スパンボンド不織布やメルトブロー不織布、ＳＭＳ（スパンボンド・メルトブロー・スパンボンド）不織布）や、撥水性または不透液性のプラスチックフィルムが利用され、バックシート２３に到達した排泄物の水分等が、本体部２の外側に染み出すのを防止する。バックシート２３にプラスチックフィルムが利用される場合、使い捨ておむつ１のムレを防止して着用者の快適性を向上するという観点からは、透湿性（通気性）を有するプラスチックフィルムが利用されることが好ましい。
【００２９】
サイドシート３のシート本体としては、疎水性繊維にて形成された撥水性または不透液性の不織布（例えば、スパンボンド不織布やメルトブロー不織布、ＳＭＳ不織布）が利用される。弾性部材３５としては、例えば、ポリウレタン糸、帯状のポリウレタンフィルム、糸状または帯状の天然ゴム等が利用され、本関連技術では、ポリウレタン糸が弾性部材３５として利用される。
【００３０】
外装シート４の内側シート４１および外側シート４２としては、バックシート２３と同様に、疎水性繊維にて形成された撥水性または不透液性の不織布が利用される。また、内側シート４１および外側シート４２として、トップシート２１と同様に、親水性繊維により形成された不織布や親水処理した疎水性繊維にて形成された透液性の不織布が利用されてもよい。このように、使い捨ておむつ１では、外装シート４が不織布により形成される。
【００３１】
脚周り弾性部材４３および胴周り弾性部材４４としては、サイドシート３の弾性部材３５と同様に、例えば、ポリウレタン糸、帯状のポリウレタンフィルム、糸状または帯状の天然ゴム等が利用され、本関連技術では、ポリウレタン糸が脚周り弾性部材４３および胴周り弾性部材４４として利用される。
【００３２】
図４は、シート部材５の断面図である。シート部材５は、プラスチックフィルムにて形成される層５１と、不織布にて形成される層５２との積層体であり、着用者に対向する内面（外装シート４に接合されない層５２の面）が不織布にて形成される。層５２には、外装シート４およびバックシート２３と同様に、疎水性繊維にて形成された撥水性または不透液性の不織布、あるいは、トップシート２１と同様に、親水性繊維により形成された不織布や親水処理した疎水性繊維にて形成された透液性の不織布が利用される。また、層５１には、撥水性または不透液性のプラスチックフィルムが利用される。プラスチックフィルムとしては、透湿性（通気性）を有するものが好ましい。
【００３３】
図１に示す使い捨ておむつ１が着用される際には、着用者の両脚が胴部開口１１を介して一対の脚部開口１２に挿入された後、胴部開口１１の縁部を掴んで使い捨ておむつ１が着用者の腰周りまで引き上げられる。このとき、前方部４０１がシート部材５と共に上方（着用者の頭部側）に引き上げられ、後方部４０３もシート部材５と共に引き上げられることにより、吸収体２０の各端部が上方に引き上げられ、吸収体２０が着用者の股間部に密着する。
【００３４】
図５は、比較例の使い捨ておむつ９を示す図であり、図２に対応する図である。比較例の使い捨ておむつ９では、シート部材９１が不織布のみにて形成される。また、シート部材９１の作製に用いられるロール状の不織布では、その引き出し方向に繊維配向（すなわち、不織布の変形に対する強度（剛性）が最大となる方向であり、伸縮性が最も低い方向である。）が揃っており、比較例の使い捨ておむつ９の製造を容易とするために、シート部材９１における不織布の繊維配向が、おむつの幅方向（図５中の横方向）に平行となっている。不織布では、繊維配向におよそ垂直な方向にて伸縮性が最も高くなるため、比較例のシート部材９１は、おむつの幅方向に垂直なおむつの上下方向に伸張しやすくなっている。図５では、横方向に伸びる平行線をシート部材９１に付すことにより、シート部材９１を形成する不織布の繊維配向が、おむつの幅方向に平行であることを示している。実際には、外装シート９３における不織布の繊維配向も、おむつの幅方向に平行となっている。
【００３５】
また、外装シート９３上へのシート部材９１の接合では、図５中にて符号９４を付す太い破線にて示すように、ホットメルト接着剤が、おむつの幅方向に平行な複数のライン状にて外装シート９３上に塗布された後、シート部材９１が外装シート９３上に重ねられて接合される。このような比較例の使い捨ておむつ９では、シート部材９１が外装シート９３と共におむつの上下方向に伸張しやすくなる。したがって、使い捨ておむつ９を着用者に装着する際に、吸収体９２を着用者の股間部に密着させるために、外装シート９３の前方部９３１や後方部９３２をシート部材９１と共に引き上げたとしても、外装シート９３およびシート部材９１の伸張により吸収体９２自体を引き上げることが容易ではない。また、排泄物の水分がシート部材９１の内面に付着した場合に、体圧により排泄物の水分がシート部材９１および外装シート９３を透過して外装シート９３の外側に染み出す虞もある。
【００３６】
これに対し、図２の使い捨ておむつ１では、シート部材５がプラスチックフィルムと不織布との積層体とされることにより、シート部材５における不織布の繊維配向がおむつの幅方向に平行であっても、シート部材５の伸張が抑制される。これにより、装着時に吸収体２０の両端部を確実に上方に引き上げて、吸収体２０を着用者の股間部に容易に密着させる（すなわち、吸収体２０の両側端を着用者の鼠径部に沿わせる）ことができる。また、排泄物の水分がシート部材５の内面に付着した場合であっても、排泄物の水分がシート部材５を透過して外装シート４の外側に染み出すことを防止することができる。
【００３７】
また、使い捨ておむつ１では、シート部材５の全面が外装シート４上に接合されて、シート部材５と外装シート４とが一体化されることにより、シート部材５がより伸張しにくくなり、吸収体２０を着用者の股間部にさらに容易に密着させることができる。さらに、前方部４０１のシート部材５の色が、後方部４０３のシート部材５の色と相違することにより、使い捨ておむつ１の前後を容易に認識することができる。
【００３８】
図６は、本発明の一の実施の形態に係る使い捨ておむつ１ａを示す図であり、図２に対応する図である。図６の使い捨ておむつ１ａでは、シート部材５ａが不織布のみにて形成される点で、図２の使い捨ておむつ１と相違している。他の構成は図２と同様であり、同符号を付している。
【００３９】
図６の各シート部材５ａでは、不織布の繊維配向が、胴周り弾性部材４４におよそ垂直であり、シート部材５ａの伸縮性が、おむつの幅方向にて最も高くなる。換言すると、不織布の繊維配向が、吸収体２０の長手方向に平行であり、前方部４０１の両側端を後方部４０３の両側端にそれぞれ接合した状態の使い捨ておむつ１ａ（図１参照）において、シート部材５ａの伸縮性が、おむつの上下方向にて最も低くなる。図６では、縦方向に伸びる平行線をシート部材５ａに付すことにより、シート部材５ａを形成する不織布の繊維配向が、吸収体２０の長手方向に平行であることを示している。
【００４０】
各シート部材５ａの形状は、図２のシート部材５と同様に、前方部４０１または後方部４０３の端部の縁に沿って伸びる帯状であり、シート部材５ａの全面が外装シート４の内面上に接合される。また、使い捨ておむつ１と同様に、前方部４０１のシート部材５ａの色が、後方部４０３のシート部材５ａの色と相違する。既述のように、外装シート４は不織布にて形成される。
【００４１】
ここで、図５の比較例の使い捨ておむつ９では、シート部材９１における不織布の繊維配向がおむつの幅方向に平行であるため、既述のように、シート部材９１がおむつの上下方向に伸張しやすく、使い捨ておむつ９を着用者に装着する際に、吸収体９２が着用者の股間部に密着するように吸収体９２を引き上げることが困難である。また、シート部材９１がおむつの幅方向に伸張しにくいため、胴周りが適切に締め付けられない場合がある。
【００４２】
これに対し、図６の使い捨ておむつ１ａでは、シート部材５ａにおける不織布の繊維配向が、使い捨ておむつ１の上端の縁に垂直である（すなわち、おむつの上下方向に沿う）ことにより、シート部材５ａが、おむつの上下方向に伸張しにくくなる。これにより、使い捨ておむつ１ａを着用者に装着する際に、吸収体２０の端部を上方に確実に引き上げることができ、吸収体２０を着用者の股間部に容易に密着させることができる。
【００４３】
また、使い捨ておむつ１ａの装着において、使い捨ておむつ１ａが、シート部材５ａにおける不織布の繊維配向に沿って着用者の腰周りまで引き上げられるため、使い捨ておむつ１ａの引き上げ時における着用者の肌触り感を、比較例の使い捨ておむつ９に比べて向上させることができる。さらに、シート部材５ａの伸縮性が、おむつの幅方向にて最も高くなるため、比較例の使い捨ておむつ９に比べて、胴周りを適切に締め付けることができる。
【００４４】
上記使い捨ておむつは、様々な変形が可能である。
【００４５】
使い捨ておむつ１，１ａでは、前方部４０１および後方部４０３の一方のみにシート部材５，５ａが設けられてもよく、この場合でも、シート部材５，５ａにより覆われる吸収体２０の一方の端部を、おむつの上下方向に容易に引き上げることができ、吸収体２０を着用者の股間部に容易に密着させることができる。この場合に、吸収体２０の他方の端部が、比較例の使い捨ておむつ９におけるシート部材９１にて覆われてもよく、また、他方の端部がシート部材にて覆われなくてもよい。ただし、吸収体２０を着用者の股間部にさらに容易に密着させるには、互いに同様の構造を有する２つのシート部材が、前方部４０１および後方部４０３にそれぞれ設けられることが好ましい。
【００４６】
上記関連技術および上記実施の形態では、カーテンスプレーやコータによるホットメルト接着剤の塗布によりシート部材５，５ａの全面が外装シート４上に接合されるが、例えば、図７に示すように、ホットメルト接着剤がライン状に塗布される領域６１（図７中にて平行斜線を付す領域）と、ホットメルト接着剤がスパイラル状に塗布される領域６２とが、図７中の上下方向に交互に設けられてシート部材５のおよそ全面が外装シート４上に接合されてもよい（シート部材５ａにおいて同様）。図７の領域６２では、おむつの幅方向に伸びる２列（１列または３列以上であってもよい。）のスパイラル状にホットメルト接着剤が塗布されている。このような使い捨ておむつでは、胴回りにおける通気性および柔軟性が向上する。また、図５の比較例の使い捨ておむつ９と同様に、外装シート４上においてホットメルト接着剤が、おむつの幅方向に平行であり、かつ、おむつの上下方向に間隔を空けて配列される複数のライン状（スパイラル状であってもよい。）に塗布されることにより、シート部材５，５ａが外装シート４の内面上に接合されてもよい。この場合でも、おむつの上下方向に伸張しにくいシート部材５，５ａにより、吸収体２０を着用者の股間部に容易に密着させることが可能となる。なお、使い捨ておむつ１，１ａの設計によっては、外装シート４上においてホットメルト接着剤が、吸収体２０の長手方向に平行な複数のライン状に塗布されることにより、シート部材５，５ａが外装シート４の内面上に接合されてもよい。
【００４７】
また、上記関連技術および上記実施の形態では、前方部４０１のシート部材５，５ａの色が、後方部４０３のシート部材５，５ａの色と相違することにより、使い捨ておむつの前後が識別可能となるが、前方部４０１のシート部材５，５ａおよび後方部４０３のシート部材５，５ａの双方に異なる文字やマーク、模様等が形成される、または、一方のみに文字やマーク、模様等が形成されることにより、前方部４０１のシート部材５，５ａと、後方部４０３のシート部材５，５ａとが視覚により識別可能とされてもよい。
【００４８】
上記実施の形態および各変形例における構成は、相互に矛盾しない限り適宜組み合わせられてよい。
【符号の説明】
【００４９】
１，１ａ    使い捨ておむつ  
４    外装シート
５，５ａ    シート部材
１１    胴部開口
１２    脚部開口
２０    吸収体
５１，５２    層
４０１    前方部
４０２    中間部
４０３    後方部
【図１】
0005602523.tif 000002
【図２】
0005602523.tif 000003
【図３】
0005602523.tif 000004
【図４】
0005602523.tif 000005
【図５】
0005602523.tif 000006
【図６】
0005602523.tif 000007
【図７】
0005602523.tif 000008